(57)【要約】【課題】本体を組み合わせて複数の商品をタテ・横に複数列で陳列することができ、しかも被固定物への商品陳列具の取り付けが容易な商品陳列具を提供する。【解決手段】長さ方向を互いに略平行に揃えた２本の商品吊下部材１２を、ジョイント部材１３により連結するように構成したので、複数の商品をタテ・横に複数列で陳列できる。各商陳列具１０をジョイント部材１３により連結したので、例えば１つの商品陳列具１０を陳列棚に固定するだけで、全ての商品陳列具１０を一度に陳列棚に固定でき、陳列棚への商品陳列具１０の取り付けが容易となる。【選択図】図１
0003122767.tif 000002
【実用新案登録請求の範囲】
【請求項１】
商品を掛止する複数のクリップ部が、長さ方向へ所定間隔をあけて配設された商品吊下部材と、
複数の上記商品吊下部材を、長さ方向を略平行に揃えかつ互いに所定間隔をあけて連結可能なジョイント部材とを備えたことを特徴とする商品陳列具。
【請求項２】
上記商品吊下部材の長さ方向の一端部には第１の接合部が設けられ、
上記商品吊下部材の長さ方向の他端部には、上記第１の接合部に着脱自在に接合可能な形状を有した第２の接合部が設けられた請求項１に記載の商品陳列具。
【請求項３】
上記ジョイント部材の長さ方向の中間部には、上記商品吊下部材への連結部が設けられ、
上記ジョイント部材の長さ方向の一端部には、第３の接合部が設けられ、
上記ジョイント部材の長さ方向の他端部には、上記第３の接合部に着脱自在に接合可能な形状を有した第４の接合部が設けられた請求項１または請求項２に記載の商品陳列具。
【請求項４】
上記ジョイント部材の長さ方向の他端部には、該ジョイント部材の長さ方向へ延びた延長部が設けられ、
該延長部は、上記ジョイント部材の長さ方向へ連続するとともに、上記第４の接合部がそれぞれ設けられた複数の接合片から構成され、
隣接する接合片間には、切断ガイド溝が形成されたことを特徴とする請求項１〜請求項３のうち、何れか１項に記載の商品陳列具。
【請求項５】
上記クリップ部に掛止可能で、かつ対応する商品の情報が記憶されたＩＣタグ付きの取り付けプレートを有したことを特徴とする請求項１〜請求項４のうち、何れか１項に記載の商品陳列具。
【請求項６】
上記クリップ部に元部が掛止され、かつ商品を複数個吊り下げ可能なフックを有する請求項１〜請求項５のうち、何れか１項に記載の商品陳列具。
【考案の詳細な説明】
【技術分野】
【０００１】
この考案は、商品陳列具、詳しくは複数の商品を上下方向に所定間隔で吊り下げ可能な商品陳列具に関する。
【背景技術】
【０００２】
店舗において、例えば小型の袋詰め商品を上下に所定ピッチで陳列する商品陳列具が知られている（例えば、特許文献１）。
特許文献１のものは、商品を掛止する多数のクリップ部が、長さ方向（上下方向）へ一定ピッチで配設された商品吊下部材を本体としている。商品吊下部材の長さ方向の一端部（上端部）には、凹部（第１の接合部）が形成られている。また、商品吊下部材の長さ方向の他端部（下端部）には、上記凹部に着脱自在に接合可能な形状を有した凸部（第２の接合部）が形成されている。
【０００３】
使用時には、商品吊下部材の各クリップ部に、小型の袋詰め商品などを吊り下げ、これらを上下に一定ピッチで陳列する。また、商品吊下部材を２倍の長さで使用する際には、２本の商品吊下部材を上下に連結する。具体的には、一方の商品吊下部材の上端部の凹部と、他方の商品吊下部材の下端部の凸部とを嵌合する。
【０００４】
特許文献１の商品陳列具は、このように商品吊下部材の長さ方向の両端部に配設された凹部と凸部とを嵌合し、縦に直列状態で連結して使用することができるものであった。
しかしながら、商品の陳列時には、商品を横に複数列で陳列する場合も多々あった。その際、各商品陳列具は個別に陳列棚などの被固定物に固定しなければならなかった。しかも、各商品陳列具はその固定作業と同時に、各商品吊下部材の高さを揃える作業も行わなければならず、作業が面倒であった。
【特許文献１】実用新案登録第３０７４６６８号公報
【考案の開示】
【考案が解決しようとする課題】
【０００５】
本考案は、本体を組み合わせて複数の商品をタテ・横に複数列で陳列することができ、しかも被固定物への商品陳列具の取り付けが容易な商品陳列具を提供することを目的としている。
また、本考案は、商品陳列具の個数分の商品を縦一列に陳列することができる商品陳列具を提供することも目的としている。
さらに、本考案は、隣接する商品陳列具同士を、距離を長くした状態で連結することができる商品陳列具を提供することも目的としている。
本考案は、商品に関する情報を簡単に入手することができる商品陳列具を提供することも目的としている。
さらに、本考案は、フックを介して、複数の商品を１つのクリップ部に吊り下げることができる商品陳列具を提供することも目的としている。
【課題を解決するための手段】
【０００６】
請求項１に記載の考案は、商品を掛止する複数のクリップ部が、長さ方向へ所定間隔をあけて配設された商品吊下部材と、複数の上記商品吊下部材を、長さ方向を略平行に揃えかつ互いに所定間隔をあけて連結可能なジョイント部材とを備えたことを特徴とする商品陳列具である。
【０００７】
請求項１に記載の考案によれば、長さ方向を互いに略平行に揃えた複数の商品吊下部材を、ジョイント部材により連結する。これにより、複数の商品を横に複数列で陳列することができる。また、このように各商品陳列具がジョイント部材により連結されているので、例えば１つの商品陳列具を被固定物に固定するだけで、全ての商品陳列具を一度に被固定物に固定することができる。その結果、被固定物への商品陳列具の取り付けが容易になる。
【０００８】
商品の種類は任意である。例えば、袋詰めされた菓子類、化粧品、家庭雑貨品、手芸用品、乾電池、電子部品などが挙げられる。
商品の大きさ、１つの商品吊下部材に対する商品の陳列数は任意である。
商品吊下部材およびジョイント部材の素材としては、例えば、各種の金属（鉄、ステンレス、アルミニウムなど）、各種の合成樹脂（ポリエチレン、ポリプロピレン、ポリ塩化ビニル、ＡＢＳ樹脂など）、紙（ラミネート紙を含む）などがそれぞれ挙げられる。
【０００９】
ジョイント部材の長さ、形状は任意である。ジョイント部材の使用本数は、１本だけでもよいし、２本以上でもよい。ただし、隣接する商品吊下部材同士を安定して連結するには、２本以上を用いた方が好ましい。
ジョイント部材による商品吊下部材のジョイント構造（連結構造）は任意である。例えば、複数の商品吊下部材を分離不能に連結（接着、溶着など）してもよいし、各商品吊下部材を着脱自在に連結（凹部と凸部との嵌合構造、マグネットによる磁着構造、面状ファスナによる係止構造など）してもよい。
【００１０】
ジョイント部材による商品吊下部材の連結数は任意である。２本の商品吊下部材を連結してもよいし、３本以上の商品吊下部材を連結してもよい。
クリップ部の構造は任意である。例えば、商品吊下部材に逆Ｕ字形状のスリットを入れて形成された第１のシート片からなるものなどが挙げられる。
【００１１】
請求項２に記載の考案は、上記商品吊下部材の長さ方向の一端部には第１の接合部が設けられ、上記商品吊下部材の長さ方向の他端部には、上記第１の接合部に着脱自在に接合可能な形状を有した第２の接合部が設けられた請求項１に記載の商品陳列具である。
【００１２】
請求項２に記載の考案によれば、隣接する上方の商品陳列具の第１の接合部と、下方の商品陳列具の第２の接合部とを接合する。これにより、複数の商品陳列具を縦に一列に連結し、商品陳列具の個数分の商品を縦一列に陳列することができる。
【００１３】
第１の接合部または第２の接合部としては、例えば、接合構造が嵌合構造の場合における凹部または凸部、磁着構造の場合のマグネット、係止構造の場合の面状ファスナなどが挙げられる。
第１の接合部および第２の接合部の形成数は、それぞれ１つずつでもよいし、２つ以上でもよい。
【００１４】
請求項３に記載の考案は、上記ジョイント部材の長さ方向の中間部には、上記商品吊下部材への連結部が設けられ、上記ジョイント部材の長さ方向の一端部には、第３の接合部が設けられ、上記ジョイント部材の長さ方向の他端部には、上記第３の接合部に着脱自在に接合可能な形状を有した第４の接合部が設けられた請求項１または請求項２に記載の商品陳列具である。
【００１５】
請求項３に記載の考案によれば、連結部を商品吊下部材に連結することで、ジョイント部材と商品吊下部材とが一体化する。その後、隣接する左方の商品陳列具の第３の接合部と、右方の商品陳列具の第４の接合部とを接合する。これにより、複数の商品吊下部材が長さ方向を互いに略平行に揃えて連結され、複数の商品を横に複数列で陳列することができる。
【００１６】
連結部と商品吊下部材との連結構造は任意である。例えば、接着剤による接着、凹部と凸部との嵌合構造、マグネットによる磁着構造、面状ファスナによる係止構造などを採用することができる。
第３の接合部または第４の接合部としては、例えば、接合構造が嵌合構造の場合における凹部または凸部、磁着構造の場合のマグネット、係止構造の場合の面状ファスナなどが挙げられる。
第３の接合部および第４の接合部の形成数は、それぞれ１つずつでもよいし、２つ以上でもよい。
【００１７】
請求項４に記載の考案は、上記ジョイント部材の長さ方向の他端部には、該ジョイント部材の長さ方向へ延びた延長部が設けられ、該延長部は、上記ジョイント部材の長さ方向へ連続するとともに、上記第４の接合部がそれぞれ設けられた複数の接合片から構成され、隣接する接合片間には、切断ガイド溝が形成されたことを特徴とする請求項１〜請求項３のうち、何れか１項に記載の商品陳列具である。
【００１８】
請求項４に記載の考案によれば、隣接する左方の商品陳列具の第３の接合部と、右方の商品陳列具の延長部に設けられた第４の接合部とを接合する。これにより、隣接する商品陳列具同士を、距離を長くした状態で連結することができる。
この離間距離を短くしたい場合には、切断ガイド溝を介して、その短くしたい分だけ接合片を切断すればよい（例えば、指先で切り取る）。
【００１９】
延長部の長さは任意である。
接合片の大きさ、形状、連結数は任意である。
各接合片に設けられる第４の接合部の形成数も任意である。
【００２０】
請求項５に記載の考案は、上記クリップ部に掛止可能で、かつ対応する商品の情報が記憶されたＩＣタグ付きの取り付けプレートを有したことを特徴とする請求項１〜請求項４のうち、何れか１項に記載の商品陳列具である。
【００２１】
請求項５に記載の考案によれば、ＩＣタグに記憶された商品情報を読み取り装置により読み取ることで、例えば商品の値段、商品の種類、商品番号、賞味期限といった商品に関する情報を簡単に入手することができる。
【００２２】
ここで、ＩＣタグとは、１ミリ以下のＩＣチップを搭載したタグ（荷札）のことで、ＩＣには情報を保存することができ、搭載したアンテナを通じてリーダやライタで情報を読み書きすることができる。ほとんどのＩＣタグは、バッテリを搭載せず、リーダ／ライタが発する電波を受信し、電磁誘導などの仕組みで電流を発生させる。バッテリを搭載しないことで、小型化を実現し、食品などに貼り付けることができるようになっている。なお、バッテリを搭載し、より複雑なアプリケーションを利用できるようにしているＩＣタグもある。
ＩＣタグの取り付けプレートにおける取り付け位置も任意である。例えば、取り付けプレートの表面に貼着してもよいし、取り付けプレートに埋め込んでもよい。
【００２３】
請求項６に記載の考案は、上記クリップ部に元部が掛止され、かつ商品を複数個吊り下げ可能なフックを有したことを特徴とする請求項１〜請求項５のうち、何れか１項に記載の商品陳列具である。
【００２４】
請求項６に記載の考案によれば、フックを介して、例えば複数の商品を１つのクリップ部に吊り下げることができる。
フックの形状、大きさ、素材は任意である。フックに吊り下げ可能な商品の個数は２個以上であれば任意である。
【考案の効果】
【００２５】
この考案の請求項１に記載の考案によれば、長さ方向を互いに略平行に揃えた複数の商品吊下部材を、ジョイント部材により連結することで、複数の商品をタテ・横に複数列で陳列することができる。
また、各商品陳列具がジョイント部材により連結されているので、例えば１つの商品陳列具を被固定物に固定するだけで、全ての商品陳列具を一度に被固定物に固定でき、被固定物への商品陳列具の取り付けが容易となる。
【００２６】
特に、請求項２に記載の考案によれば、隣接する上方の商品陳列具の第１の接合部と、下方の商品陳列具の第２の接合部とを接合するだけで、複数の商品陳列具を縦に一列に連結し、商品陳列具の個数分の商品を縦一列に陳列することができる。
【００２７】
また、請求項３に記載の考案によれば、隣接する左方の商品陳列具の第３の接合部と、右方の商品陳列具の第４の接合部とを接合するだけで、複数の商品吊下部材が長さ方向を互いに略平行に揃えて連結される。その結果、複数の商品を横に複数列で陳列することができる。
【００２８】
さらに、請求項４に記載の考案によれば、隣接する左方の商品陳列具の第３の接合部と、右方の商品陳列具の延長部に設けられた第４の接合部とを接合するだけで、隣接する商品陳列具同士を、距離を長くした状態で連結することができる。
【００２９】
さらにまた、請求項５に記載の考案によれば、ＩＣタグに記憶された商品情報を読み取り装置により読み取ることで、例えば商品の値段、商品の種類、商品番号、賞味期限といった商品に関する情報を簡単に入手することができる。
【００３０】
そして、請求項６に記載の考案によれば、フックを介して、例えば複数の商品を１つのクリップ部に吊り下げることができる。
【考案を実施するための最良の形態】
【００３１】
以下、この考案の実施例を具体的に説明する。
図１において、１０はこの考案の実施例１に係る商品陳列具で、この商品陳列具１０は、商品を掛止する複数のクリップ部１１が、長さ方向へ所定間隔をあけて配設された商品吊下部材１２と、複数の商品吊下部材１２を、長さ方向を略平行に揃えかつ互いに所定間隔をあけて連結可能な１対のジョイント部材１３とを備えている。
【００３２】
以下、これらの構成部品を詳細に説明する。
図１〜図３に示すように、商品吊下部材１２は、長さ３２０ｍｍ、幅１５ｍｍ、両側板の高さ１０ｍｍ、厚さ１．２〜１．５ｍｍを有した断面コの字形状のＡＢＳ樹脂製の板材である。商品吊下部材１２の両端部を除く部分には、長さ方向に一定ピッチで９つのクリップ部１１が一体形成されている。各クリップ部１１は、元部が商品吊下部材１２の一部にそれぞれ連結され、かつ上方へ鉤状に屈曲している。商品吊下部材１２の各クリップ部１１に対応する部分には、矩形状の切欠部１２ａが形成されている。
【００３３】
商品吊下部材１２の長さ方向の一端部（以下、上端部）には、商品吊下部材１２の長さ方向に離間した１対のピン（第１の接合部）１４が配設されている。また、商品吊下部材１２の長さ方向の他端部（以下、下端部）は幅が細く形成されている。この幅細部分に、両ピン１４に着脱自在に接合可能な形状を有した１対のピン孔（第２の接合部）１５が、商品吊下部材１２の長さ方向に離間した位置に配設されている。
【００３４】
また、商品吊下部材１２の上端部には、互いに離間した４本のリブ１６が裏面に突設され、かつ商品名や価格が記入されたボードの差し込み部１７が一体形成されている。さらに、商品吊下部材１２の上端の両側には、陳列棚に対する商品吊下部材１２の固定孔部１８がそれぞれ一体形成されている。例えば、両固定孔部１８にビスをそれぞれ挿入し、商品吊下部材１２を陳列棚にねじ止めすることができる。
商品吊下部材１２の上端部付近と下端部付近とには、両側板１２ｂにジョイント部材１３の連結用の切欠部１２ｃがそれぞれ形成されている。また、各切欠部１２ｃの長さ方向の中央部には、対応するジョイント部材１３を着脱可能に嵌合可能な左右１対の連結突起１２ｄが配設されている。両連結突起１２ｄは断面矩形状の板片である。
【００３５】
次に、図１、図４および図５を参照して、上記両ジョイント部材１３を詳細に説明する。
両ジョイント部材１３は、長さ５６ｍｍ、幅１５ｍｍ、厚さ１．５ｍｍのＡＢＳ樹脂製の板材で、その長さ方向の一端には、長さ５０ｍｍの延長部１９が同じ素材で一体形成されている。両ジョイント部材１３は、商品吊下部材１２の上端部付近と下端部付近とに着脱自在に取り付けられる。
【００３６】
ジョイント部材１３の長さ方向の中間部には、商品吊下部材１２への連結部２０が設けられている。連結部２０は、ジョイント部材１３の長さ方向に離間した突出高さが低い１対の突条部１３ａにより区画されている。また、ジョイント部材１３の中間部の両側の表面には、上記１対の連結突起１２ｄに対応する突起孔１３ｂが配設されている。ジョイント部材１３の長さ方向の中央部のうち、他端側の裏面には、ジョイント部材１３の幅方向に長く、先端面の高さが、ジョイント部材１３の長さ方向の一端の裏面の高さと揃った１本の突条部１３ｃが形成されている。
【００３７】
ジョイント部材１３の長さ方向の一端部は、ジョイント部材１３の厚さ方向に段差を付けて形成されている。ジョイント部材１３の長さ方向の一端部には、ジョイント部材１３幅方向の中間部でかつジョイント部材１３の長さ方向に離間して１対の連結ピン（第３の接合部）２１がそれぞれ突設されている。
また、ジョイント部材１３の長さ方向の他端部には、ジョイント部材１３の幅方向の中間部でかつジョイント部材１３の長さ方向に離間した位置に、両連結ピン２１に対応する１対のピン孔（第４の接合部）２２が形成されている。
【００３８】
ジョイント部材１３の長さ方向の他端部には、ジョイント部材１３の長さ方向へ延びた上記延長部１９が設けられている。延長部１９は、ジョイント部材１３の長さ方向へ連続するとともに、ピン孔２２がそれぞれ設けられた５枚の接合片２３から構成されている。各接合片２３間には、ジョイント部材１３の幅方向に長い切断ガイド溝２４がそれぞれ形成されている。切断ガイド溝２４の形成部は、各接合片２３を手で折れる（指先で千切れる）程度の厚さとなっている。
【００３９】
次に、この考案の実施例１に係る商品陳列具の使用方法を説明する。
まず、商品陳列具１０を単独で使用する場合を説明する（図６（ａ），（ｂ））。
まず、上下のジョイント部材１３において、最も連結部２０に近い切断ガイド溝２４から延長部１９を切断する。次に、両固定孔部１８にビスをそれぞれ挿入し、両ビスを介して、商品吊下部材１２を陳列棚にねじ止めする。その後、各クリップ部１１に図示しない袋詰めの商品をそれぞれ掛止することで、合計９個の商品を陳列する。
【００４０】
また、上記延長部１９が切断された２本の商品陳列具１０を、最も距離が短い並列状態で連結して使用する場合を説明する（図７（ａ），（ｂ））。まず、一方の商品陳列具１
０において両ジョイント部材１３の長さ方向の一端部の両連結ピン２１を、他方の商品陳列具１０における両ジョイント部材１３の長さ方向の他端部の両ピン孔２２に掛止する。これにより、２本の商品陳列具１０が、最も近接した並列状態で連結される。その結果、合計１８個の商品を、９個ずつ縦２列に分けて陳列することができる。
【００４１】
このように、長さ方向を互いに略平行に揃えた２本の商品吊下部材１２を、２本のジョイント部材１３により連結することで、合計１８個の商品を縦２列で陳列することができる。
また、各商品陳列具１０をジョイント部材１３により連結しているので、例えば１つの商品陳列具１０を陳列棚に固定するだけで、２つの商品陳列具１０を一度に陳列棚に固定できる。これにより、陳列棚への商品陳列具１０の取り付けが容易となる。
【００４２】
さらに、２本の商品陳列具１０を、距離が長い並列状態で使用する場合を説明する（図８（ａ），（ｂ））。まず、延長部１９が切断されていないジョイント部材１３を有する
一方の商品陳列具１０と、延長部１９が切断されたジョイント部材１３を有する他方の商品陳列具１０とを用意する。
一方の商品陳列具１０の４番目と５番目（最先端）の接合片２３の両ピン孔２２に、他方の商品陳列具１０における両ジョイント部材１３の長さ方向の他端部の両連結ピン２１を掛止する。これにより、２本の商品陳列具１０が、距離が長い並列状態で連結される。
【００４３】
次に、２本の商品陳列具１０を縦（上下）に一列に連結して使用する場合を説明する（図９）。上記延長部１９が切断された２本の商品陳列具１０を用意し、下方配置される商品陳列具１０の上端部の１対のピン１４と、上方配置される商品陳列具１０の下端部の１対のピン孔１５とを掛止する。これにより、２本の商品陳列具１０が、直列状態で連結される。その結果、合計１８個の商品を、縦１列に陳列することができる。
【００４４】
また、クリップ部１１には、直接、商品を吊り下げてもよいし、フック２５の元部をクリップ部１１に掛止し、クリップ部１１の先部に設けられた吊り下げ棒２６に複数の商品を吊り下げるようにしてもよい（図１０）。これにより、フック２５を介して、複数の商品を１つのクリップ部１１に吊り下げることができる。
また、クリップ部１１には、対応する商品の情報が記憶されたＩＣタグ付きの取り付けプレート２７を掛止してもよい（図１１（ａ），（ｂ），（ｃ））。ＩＣタグに記憶され
た商品情報を読み取り装置により読み取ることで、例えば商品の値段、商品の種類、商品番号、賞味期限といった商品に関する情報を簡単に入手することができる。
【００４５】
次に、図１２〜図１５を参照して、この考案の実施例２の商品陳列具を説明する。
図１２〜図１５に示すように、この考案の実施例１に係る商品陳列具１０Ａでは、実施例１の商品陳列具１０の商品吊下部材１２の上端部に突設されていたボードの差し込み部１７が削除されている。代わりに、長さ方向を商品吊下部材１２Ａの長さ方向に揃えた横Ｕ字形状を有するプレート掛止用突起１６Ａが突設されている。なお、商品吊下部材１２Ａのうち、プレート掛止用突起１６Ａの形成部分には、長さ方向が商品吊下部材１２Ａの長さ方向となった矩形状の切欠部が形成されている（図示せず）。
【００４６】
一方、プレート２７Ａのうち、その高さ方向の中間部と下端部との裏側には、プレート掛止用突起１６Ａを上下方向から挟持する１対の連結小板２７ａが突設されている。両連結小板２７ａの中央部には、プレート掛止用突起１６Ａの内部孔１６ａに連通する１対のピン孔２７ｂがそれぞれ形成されている。
【００４７】
実施例２の商品陳列具１０Ａは、その使用に先駆けてプレート２７Ａを商品吊下部材１２Ａの上端部に連結する。具体的には、両連結小板２７ａによりプレート掛止用突起１６Ａを上下方向から挟持するように、プレート２７Ａを商品吊下部材１２Ａに取り付ける。このとき、両ピン孔２７ｂと内部孔１６ａとを合致させる。
その後、両ピン孔２７ｂと内部孔１６ａとに一連に連結ピン（図示せず）を着脱自在に挿入する。これにより、プレート２７Ａが商品吊下部材１２Ａの上端部に着脱可能に連結される。
【００４８】
また、商品陳列具１０Ａにあっては、商品吊下部材１２Ａのクリップ部１１に、フック２５が着脱自在に装着されている。
その他の構成、作用および効果は、実施例１から推測可能な範囲であるので説明を省略する。
【図面の簡単な説明】
【００４９】
【図１】この考案の実施例１に係る商品陳列具の正面図である。
【図２】この考案の実施例１に係る商品陳列具の商品吊下部材の正面図である。
【図３】この考案の実施例１に係る商品陳列具の商品吊下部材の側面図である。
【図４】この考案の実施例１に係る商品陳列具のジョイント部材の正面図である。
【図５】この考案の実施例１に係る商品陳列具のジョイント部材の平面図である。
【図６】（ａ）この考案の実施例１に係る商品陳列具の単独使用状態を示す平面図である。（ｂ）この考案の実施例１に係る商品陳列具の単独使用状態を示す正面図である。
【図７】（ａ）この考案の実施例１に係る商品陳列具の２本並列状態を示す平面図である。（ｂ）この考案の実施例１に係る商品陳列具の２本並列状態を示す正面図である。
【図８】（ａ）この考案の実施例１に係る商品陳列具の他の２本並列状態を示す平面図である。（ｂ）この考案の実施例１に係る商品陳列具の他の２本並列状態を示す正面図である。
【図９】この考案の実施例１に係る商品陳列具の２本縦列状態を示す正面図である。
【図１０】この考案の実施例１に係る商品陳列具の別の使用方法を説明する要部側面図である。
【図１１】（ａ）この考案の実施例１に係る商品陳列具のクリップ部に掛止されるＩＣタグ付きの取り付けプレートの正面図である。（ｂ）この考案の実施例１に係る商品陳列具のクリップ部に掛止されるＩＣタグ付きの取り付けプレートの平面図である。（ｃ）この考案の実施例１に係る商品陳列具のクリップ部に掛止されるＩＣタグ付きの取り付けプレートの側面図である。
【図１２】この考案の実施例２に係る商品陳列具のプレートを装着した状態での正面図である。
【図１３】この考案の実施例２に係る商品陳列具のプレートおよびフックの装着状態での側面図である。
【図１４】この考案の実施例２に係る商品陳列具の商品吊下部材の正面図である。
【図１５】この考案の実施例２に係る商品陳列具の商品吊下部材の側面図である。
【符号の説明】
【００５０】
１０，１０Ａ  商品陳列具
１１  クリップ部
１２，１２Ａ  商品吊下部材
１３  ジョイント部材
１４  ピン（第１の接合部）
１５  ピン孔（第２の接合部）
２０  連結部
２１  連結ピン（第３の接合部）
２２  ピン孔（第４の接合部）
１９  延長部
２３  接合片
２４  切断ガイド溝
２５  フック
２６  吊り下げ棒
２７  ＩＣタグ付きの取り付けプレート
【図１】
0003122767.tif 000003
【図２】
0003122767.tif 000004
【図３】
0003122767.tif 000005
【図４】
0003122767.tif 000006
【図５】
0003122767.tif 000007
【図６】
0003122767.tif 000008
【図７】
0003122767.tif 000009
【図８】
0003122767.tif 000010
【図９】
0003122767.tif 000011
【図１０】
0003122767.tif 000012
【図１１】
0003122767.tif 000013
【図１２】
0003122767.tif 000014
【図１３】
0003122767.tif 000015
【図１４】
0003122767.tif 000016
【図１５】
0003122767.tif 000017